(57)【要約】【課題】スピーカが配置されているカバー体を、中央部に電子機器を収容しているケース体に取り付ける場合、信号線が挟み込まれることを回避できるセキュリティシステム用スピーカ付き端末装置を提供する。【解決手段】端末装置２１において、信号線６Ｌの接続部７の付近に挿通部材２４及び挿通阻止部材２５を配置する。また、ケース体２２の左側面２２Ｌから、吊り下げ紐９の上端部が係止部材１０により係止されている位置までの最短距離ｄ１を、カバー体２３の左側面２３Ｌから吊り下げ紐９が係止部材１０により係止されている位置までの最短距離ｄ２よりも長くし、ケース体２２の右側面２２Ｒから信号線６Ｌがコネクタ８を介して電子機器部２６に接続されている位置までの最短距離ｄ３を、カバー体２３の右側面２３Ｒから信号線６Ｌが挿通部材２４及び挿通阻止部材２５により係止されている位置までの最短距離ｄ４よりも短くする。【選択図】図１
2011100391.tif 000002
【特許請求の範囲】
【請求項１】
前面側が開口した箱状をなし、セキュリティシステムを構成する端末側の電子機器を収容して建造物の壁面に固定されるケース体と、
前記ケース体の開口と同形状の開口を後面側に有する箱状をなし、前面側のカバー面にスピーカが配置されて、前記ケース体の開口を覆うように取り付けられるカバー体と、
前記ケース体と前記カバー体とをそれぞれの内部側で連結して、前記カバー体が取り外された場合に、前記カバー体を前記ケース体より吊り下げるための吊り下げ紐と、
前記スピーカの信号線を前記電子機器に接続するコネクタと、
前記信号線を、前記カバー体における前記スピーカとの接続部付近で係止する係止部とを備え、
前記信号線は、前記吊り下げ紐よりも長くなるように配線されており、
前記ケース体の左右側面の一方から前記吊り下げ紐の一端部までの最短距離を、前記ケース体の一方の側面と同じ側にある前記カバー体の側面から前記吊り下げ紐の他端部までの最短距離よりも長くし、
前記ケース体の左右側面の他方から、前記信号線が前記コネクタを介して接続されている位置までの最短距離を、前記ケース体の他方の側面と同じ側にある前記カバー体の側面から、前記信号線が前記係止部により係止されている位置までの最短距離よりも短くしたことを特徴とするセキュリティシステム用スピーカ付き端末装置。
【請求項２】
前記カバー体は、前記ケース体より吊り下げられた場合に、前記ケース体に対向する面において前記信号線が係る部位に切欠き部を有していることを特徴とする請求項１記載のセキュリティシステム用スピーカ付き端末装置。
【請求項３】
前記係止部は、
前記カバー面の裏側に設けられ、前記カバー面の裏面との間に形成した隙間に前記信号線を挿通させる挿通部材と、
前記信号線において、前記スピーカとの接続部から前記挿通部材に至る間の部位に固定され、前記隙間を介した自身の挿通を阻止する挿通阻止部材とを備え、
前記挿通部材は、前記信号線を、前記カバー体の側面と平行をなす方向に挿通させることを特徴とする請求項１又は２記載のセキュリティシステム用スピーカ付き端末装置。
【発明の詳細な説明】
【技術分野】
【０００１】
本発明は、セキュリティシステムを構成する端末側の電子機器が内部に収容され、例えば建造物の壁面などに固定されるケース体と、電子機器に信号線が接続されたスピーカが配置されるカバー体とで構成されるスピーカ付き端末装置に関する。
【背景技術】
【０００２】
従来、セキュリティシステムにおいて、音声メッセージを出力するためのスピーカを備えた端末装置（例えば、ユーザがセキュリティシステムのオンオフ（設定，解除）を切り替える操作を行う端末）では、スピーカ自体も、電子機器が内部に収容されるケース体側に取り付けられていた。しかしながら、音質の向上を図るためには、スピーカをカバー体側に取り付けてカバー体の前面部分をバッフルとして利用することが好ましい。その場合、スピーカに音声信号を出力するための信号線が、ケース体側の電子機器からカバー体側のスピーカへと渡ることになる。
【０００３】
また、上記の端末装置は、一般に建造物の壁面に配置された状態で使用されるので、カバー体を取り外した場合に脱落を防止するため、ケース体とカバー体とを吊り下げ紐で接続している。すると、取り外したカバー体を作業者が把持しなければ、カバー体は、吊り下げ紐とスピーカの信号線とによりケース体から吊り下げられた状態になる。
【０００４】
ここで、単にカバー体の脱落を防止するためであれば、例えばケース体とカバー体とをヒンジを介して接続することも考えられる。ところが、端末装置が設置される周辺の状況は、実際にどのようになるかが事前に予測できず、必ずしもカバー体を下方側に開くがことが容易な状況にあるとは限らないので、作業時には、カバー体をケース体から完全に分離できるようにもしておきたいという要望がある。
そこで、吊り下げ紐を用いれば、ループ状に結んだ紐の一端側を紐を係止している部材より外したり、紐の結び目を解くことでカバー体をケース体から完全に分離できるので、上記の要望に応えることができる（そもそも、ヒンジを取り付けるには、ケース体の下辺側にそのためのスペースが必要になるが、端末装置の場合、下辺側に、セキュリティシステムをオンオフするキーやケース体のロック解除用のキーを差し込む穴が設けられたり、リセットスイッチ等が配置されることが多く、スペースの確保も困難である）。
【０００５】
図３は、上記の状態を示したものである。図３に示す端末装置１は、前面が開口した矩形箱状のケース体２と、後面が開口した箱状のカバー体３とで構成されている。ケース体２の内部には、例えば樹脂製のカバー４Ｃ内に電子機器を収容した電子機器部４が配置されており、ケース体２は、例えば家屋（建造物）の壁面などに固定される。図３（ａ）に示すように、ケース体２及びカバー体３の開口サイズは等しく、それぞれの上下面及び左右両側面を一致させるようにしてカバー体３をケース体２に取り付け、ケース体２の開口を覆うようになっている。
【０００６】
カバー体３の前面となるカバー面３Ｆの中央部には、スピーカ５が配置されている。そのスピーカ５に音声信号を出力する信号線６の一端は、スピーカ５の後面側でボイスコイルに（直接、或いはターミナルを介して）はんだ付けにより接続されて接続部７を構成しており、信号線６の他端はコネクタ８を介して電子機器部４に接続されている。すなわち、カバー４Ｃには図示しない開口部があり、その開口部に電子機器側のコネクタが配置されており、そのコネクタにコネクタ８が接続される。
【０００７】
ケース体２において、電子機器部４の図３（ｂ）中左下側には、吊り下げ紐９を挿通したり、或いはその一端を結び付けるための係止部材１０が固定されている。一方、カバー体３の図３（ｂ）中左上側には、同様に吊り下げ紐９を挿通したり、或いはその他端を結び付けるための係止部材１１が固定されている。この場合、係止部材１０は、一端側が抜け止め用の爪を付けて開放した形状となっており、カバー体３の係止部材１１は、例えば断面がコ字型の部材をカバー体３に取り付けたものとなっている。
したがって、例えば吊り下げ紐９を係止部材１０及び１１に挿通した後、吊り下げ紐９の両端を結んでループ状にしておけば、コネクタ８を電子機器部４より引き抜き、係止部材１０の開放端より吊り下げ紐９を外すことで、カバー体３をケース体２から完全に分離することができる。
【０００８】
電子機器部４は一般に、ケース体２の中央部分に配置されるので、吊り下げ紐９とスピーカ５の信号線６とは、何れもケース体２の左右方向においてそれぞれ両端側に寄せた位置に配置されることになる。図３（ｂ）に示した状態では、電子機器部４はケース体２の殆どのスペースを占めており、辛うじて左下側のみに空きスペースがある。そして、取り外したカバー体３がケース体２から吊り下げられた状態になると、信号線６にもスピーカ５を含むカバー体３の約半分に相当する荷重が張力としてかかるため、スピーカ５と信号線６との接続部７がダメージを受けることが想定される。そのような事態を回避するには、図４（ａ）に示すように、信号線６を吊り下げ紐９よりも更に長くする（信号線６Ｌとする）ことが考えられる。
【０００９】
すると今度は、カバー体３が吊り下げられた場合に、信号線６Ｌが接続されている側（図４（ａ）中右下側）にカバー体３が傾いた状態になる。この状態から、作業者がカバー体３を持ち上げてケース２体に取り付けるには、カバー体３を、図４では右から左に寄せながら取り付ける必要がある。その結果、図４（ｂ）に示すように、信号線６Ｌがケース体２とカバー体３との間に挟まれ易くなり、信号線６Ｌ自体がダメージを受ける可能性がある。また、作業者は、信号線６Ｌを挟み込まないように注意しながら取り付け作業したり、実際に挟み込んでしまった場合は取り付け作業をやり直す必要があるため、作業効率が低下するという問題もある。
【００１０】
例えば、特許文献１には、パチンコ遊技機の前扉を開閉する場合に、遊技機と台間機との間を接続する信号ケーブルが前扉の下端と枠体との間には見込まれることを防止するため、バネのような吊り下げ部材によって信号ケーブルの途中部位を吊り下げるようにした構成が開示されている。
【先行技術文献】
【特許文献】
【００１１】
【特許文献１】特開２０００−１１６９１３号公報
【発明の概要】
【発明が解決しようとする課題】
【００１２】
上述のような端末装置１に特許文献１のような吊り下げ部材を配置しようとすると、吊り下げ部材の上端を、吊り下げ紐９と信号線６Ｌとの間に取り付ける必要がある。しかしながら、ケース体２の中央部には電子機器部４が位置しており、その奥行き寸法（厚さ）はケース体２の奥行き寸法に近いためバネ状の吊り下げ部材を配置するスペースが確保できず、適用することができない。
【００１３】
本発明は上記事情に鑑みてなされたものであり、その目的は、スピーカが配置されているカバー体を、中央部に電子機器を収容しているケース体に取り付ける場合に、信号線が挟み込まれることを回避できるセキュリティシステム用スピーカ付き端末装置を提供することにある。
【課題を解決するための手段】
【００１４】
請求項１記載のセキュリティシステム用スピーカ付き端末装置によれば、カバー体が取り外されて、吊り下げ紐とスピーカの信号線とを介してケース体より吊り下げられた状態になる場合、信号線が係止部により係止されるので、スピーカと信号線との接続部分には張力が及ばなくなり、負荷がかかることが回避される。
また、カバー体がケース体より吊り下げられた状態になると、吊り下げ紐の両端部がケース体，カバー体のそれぞれの側面から位置する距離と、信号線のコネクタがケース体の側面から位置する距離，及びカバー体の側面から信号線が係止部により係止されている位置までの距離との関係によって、カバー体の両側面は、ケース体の両側面の延長線上に位置することなく、側面の一方が、ケース体において信号線がコネクタで接続されている位置側に寄った状態になる。
【００１５】
この状態からカバー体をケース体に取り付けようとすれば、互いの開口部分を合わせるために、カバー体を吊り下げ紐側に寄せながら取り付けることになる。すると、その過程において、信号線はケース体の中央側に寄りながらケース体の内部に収容されるので、信号線がケース体とカバー体との間に挟み込まれることも回避される。したがって、スピーカと信号線との接続部分に負荷がかかることを回避すると共に、信号線の挟み込みも防止して信号線にダメージを与えることもなく、作業効率の低下も防止することができる。
尚、ケース体は建造物の壁面に取り付けられるので、特許請求の範囲の記載における「前後」とは、壁面に接するケース体の背面側が「後」，ケース体の開口部を覆うように取り付けられたカバー面の表面側が「前」であることは当然である（また、「上下」，「左右」）を言うとすれば、ケース体が壁面に取り付けられた状態での上下であり，及びそれを観者が前側から見た場合に定まる左右とする）。
【００１６】
請求項２記載のセキュリティシステム用スピーカ付き端末装置によれば、カバー体がケース体より吊り下げられた状態になると、信号線は、カバー体に設けられた切欠き部内に自然に位置する。その状態から、作業者がカバー体を持ち上げてケース体に取り付けようとすれば、信号線は切欠き部に捉えられるので、カバー体において信号線が配置される側の側面より外側にはみ出すことがない。そして、作業者がカバー体を吊り下げ紐側に寄せながら取り付けようとすれば、カバー体側の信号線は、切欠き部に捉えられて保持された状態でカバー体と共に移動するので、信号線はケース体の中央側に誘導される。したがって、信号線の挟み込みをより回避し易くなり取り付け作業を一層容易に行うことができる。
【００１７】
請求項３記載のセキュリティシステム用スピーカ付き端末装置によれば、係止部を、カバー面の裏側に設けた挿通部材と、信号線側に固定される挿通阻止部材とで構成したので、カバー体がケース体より吊り下げられた場合に信号線がケース体側に引っ張られても、挿通阻止部材が挿通部材に当接することで信号線が係止される。また、信号線は挿通部材に対して固定されないので、信号線にかかるストレスをより軽減できる。そして、挿通部材は、信号線をカバー体の側面と平行をなす方向に挿通させるので、カバー体をケース体に取り付けるため吊り下げ紐側に移動させる場合に、挿通部材と挿通阻止部材とが当接している部位で、信号線が左右方向に動くための遊びが確保されるので、信号線をケース体の中央側により誘導し易くすることができる。
【図面の簡単な説明】
【００１８】
【図１】第１実施例であり、（ａ）はカバー体がケース体より吊り下げられた状態を示す図、（ｂ），（ｃ）はカバー体をケース体に取り付ける途中の状態を示す図、（ｄ）はカバー体がケース体に取り付けられた状態を、内部を透視して示す図
【図２】第２実施例を示す図１相当図
【図３】従来技術であり、（ａ）はカバー体がケース体に取り付けられている状態を示す斜視図，（ｂ）は図１（ａ）相当図
【図４】（ａ）は従来技術の改良を想定した図３（ａ）相当図、（ｂ）は図１（ｄ）相当図
【発明を実施するための形態】
【００１９】
（第１実施例）
以下、本発明の第１実施例について図１を参照して説明する。尚、図３及び図４と同一部分には同一符号を付して説明を省略し、以下異なる部分について説明する。また、以下において「左右」は、図１を正面から見た場合の左右である。図１に示す端末装置２１は、ケース体２，カバー体３とは外形が若干異なっているケース体２２，カバー体２３で構成されている。
【００２０】
ケース体２２は、建造物の壁面に沿って配置される後面（背面）２２Ｂと、その４辺に形成される左右の側面２２Ｌ，２２Ｒ，上面２２Ｕ及び下面２２Ｄとで構成されている。また、カバー体２３は、カバー面（前面）２３Ｆと、その４辺に形成される左右の側面２３Ｌ，２３Ｒ，上面２３Ｕ及び下面２３Ｄとで構成されている。
カバー体２３側の係止部材１１は、図２（ｂ）に示す位置よりも図中左側（カバー体２３の左側面２３Ｌ）に寄せた位置に固定されている。また、スピーカ５における接続部７の近傍で、図１中右下側には、例えば係止部材１１と同様な断面がコ字状の部材をカバー体２３の裏面（カバー面２３Ｆの裏側）に固定してなる挿通部材２４が配置されている。
【００２１】
挿通部材２４は、長手方向がカバー体２３の上面２３Ｕと平行となるように取り付けられており、信号線６Ｌをカバー面２３Ｆの裏面との隙間に挿通させてからケース体２２側に導くものである（尚、コネクタ８のサイズが上記隙間よりも大である場合は、コネクタ８を接続した後に挿通部材２４を取り付ければ良い）。また、信号線６Ｌの途中部位には挿通阻止部材（係止部）２５が固定されている。挿通阻止部材２５は例えば結束バンドなどで構成され、信号線６Ｌに固定した状態での外形サイズは、挿通部材２４とカバー体２３との隙間寸法よりも大きくなっている。そして、接続部７から挿通部材２４が固定されている位置までの信号線６Ｌの部分には、弛みを持たせるように長さが設定されている。
【００２２】
一方、ケース体２２側には、電子機器部４に対してカバー２６Ｃの形状のみが異なる電子機器部２６が配置されており、カバー２６Ｃの図中右端側には、挿入溝２７が形成されている。挿入溝２７は、カバー２６Ｃの下端側よりケース体２２の右側面２２Ｒの近傍に沿って上方に延設され、コネクタ８が電子機器部２４に接続される付近において、その接続部に左側から近づくように迂回した経路をとるように形成されている。そして、カバー体２３側から延びる信号線６Ｌは、カバー２６Ｃの下端側より挿入溝２７内に挿入配置され、挿入溝２７を経由した後でコネクタ８が電子機器部２６に接続される。
また、カバー体２３の下面２３Ｄには、信号線６Ｌがケース体２２側に渡る部位に切欠き部２８が形成されている。そして、ケース体２２の対応する部位である下面２２Ｄには、カバー体２３が取り付けられた場合に、切欠き部２８に嵌合して当該部位を塞ぐための凸面部２９が形成されている。
【００２３】
ここで、図１（ａ）に示すように、ケース体２２の左側面２２Ｌから、ループ状である吊り下げ紐９の上端部（一端部）が係止部材１０により係止されている位置までの最短距離をｄ１，カバー体２３の左側面２３Ｌから、吊り下げ紐９の下端部（他端部）が係止部材１１により係止されている位置までの最短距離をｄ２とすると、ｄ１＞ｄ２となるように係止部材１０，１１の位置関係が設定されている。
また、ケース体２２の右側面２２Ｒから、信号線６Ｌが、カバー２６Ｃの下端において挿入溝２７で保持（係止）されている位置までの最短距離をｄ３，カバー体２３の右側面２３Ｒから、信号線６Ｌに固定された挿通阻止部材２５が挿通部材２４に当接して係止されている位置までの最短距離をｄ４とすると、ｄ３＜ｄ４となるように挿入溝２７の形成位置，挿通部材２４の固定位置関係が設定されている。
【００２４】
加えて、吊り下げ紐９の長さと、信号線６Ｌが挿通部材２４及び挿通阻止部材２５の作用により係止されている位置から、挿入溝２７の下端で保持されている位置までの長さは、図１（ａ）に示すようにカバー体２３が吊り下げ状態となっている場合に、ケース体２２の下面２２Ｄの先端と、その下面２２Ｄに対向するカバー体２３の下面２３Ｄの先端とが、ほぼ平行となるように調整されている。
【００２５】
次に、本実施例の作用について説明する。図２（ａ）と同様に、カバー体２３がケース体２２に取り付けられている状態から、ロックが解除されてカバー体２３が取り外され、吊り下げ紐９及び信号線６Ｌによって図１（ａ）のように吊り下げられた状態になると、前述したように、信号線６Ｌにスピーカ５を含むカバー体２２の荷重の約半分が張力としてかかる。
しかし、ケース体２３側では信号線６Ｌが挿入溝２７に挿入保持されており、コネクタ８の付近の挿入溝２７に屈曲した迂回経路を設けていることで、コネクタ８と電子機器部２６との接続部に張力が及ぶことがなく、コネクタ８が接続部より外れることは防止される。一方、カバー体２２側では、信号線６Ｌに張力がかかっても、挿通部材２４に挿通阻止部材２５が当接するので接続部７に張力が及ぶことがなく、接続部７より信号線６Ｌが外れることは防止される。
【００２６】
そして、上述のように、係止部材１０，１１の位置関係（ｄ１＞ｄ２）と、挿入溝２７及び挿通部材２４の位置関係（ｄ３＜ｄ４）とが設定されていることにより、カバー体２３の両側面２３Ｌ，２３Ｒは、ケース体２２の両側面２２Ｌ，２２Ｒの延長線上に位置することなく、左側面２３Ｌが図１中右側、すなわちケース体２２において信号線６Ｌがコネクタ８で接続されている位置側に寄った状態になる。
またこの場合、図１（ａ）に示すように、信号線６Ｌは、カバー体２３の下面２３Ｄに設けられた切欠き部２８内に自然に位置する。その状態から、作業者がカバー体２３を持ち上げてケース体２２に取り付けようとすれば、信号線６Ｌは切欠き部２８に捉えられるので、カバー体２３の右側面２３Ｒより外側にはみ出すことがない。
【００２７】
この状態から、作業者がカバー体２３を持ち上げてケース体２２に取り付けようとすれば、互いの開口部分を合わせるためには、吊り下げ紐９が折れ曲がる位置に対応し、既に位置的にほぼ近接している下面２２Ｄと下面２３Ｄとを、仮想的な中心軸としてカバー体２３の上端側を動かすことになるので、カバー体２３を図１中左側、すなわち吊り下げ紐９側に寄せながら取り付けることになる（図１（ｂ）参照）。この時、カバー体２３側の信号線６Ｌは、切欠き部２８に捉えられて保持された状態のままカバー体２３と共に移動する。
【００２８】
そして、カバー体２３をケース体２２に取り付ける直前には、カバー体２３の左側面２３Ｌをケース体２２の左側面２２Ｌの位置に、右側面２３Ｒを右側面２２Ｒの位置に合わせるようにして、下面２３Ｄの先端を下面２２Ｄの先端に接触させる（図１（ｃ）参照）。すると、切欠き部２８は、凸面部２９の位置に至るので、切欠き部２８に捉えられている信号線６Ｌも凸面部２９の位置に来ることになる。そこまでの過程で、信号線６Ｌはケース体２２の中央側に徐々に寄りながらケース体２２の内部に収容されて行く。更にその状態から、下面２３Ｄ側を支点として上面２３Ｕ側を回動させるようにして、最終的にカバー体２３をケース体２２に取り付ければ、信号線６Ｌがケース体２２とカバー体２３との間に挟み込まれることは回避される（図１（ｄ）参照）。
【００２９】
すなわち、上述した位置関係（ｄ１＞ｄ２），（ｄ３＜ｄ４）の設定と、切欠き部２８が信号線６Ｌを捉える作用とによって、作業者がカバー体２３を持ち上げてケース体２２に取り付けるまでの間に、信号線６Ｌがケース体２２の中央側に誘導されながらケース体２２の内部に収容されることになる。
【００３０】
以上のように本実施例によれば、端末装置２１において、信号線６Ｌの接続部７の付近に挿通部材２４及び挿通阻止部材２５を配置することで、カバー体２３がケース体２２から吊り下がった状態となる場合に、信号線６Ｌの接続部７に負荷がかかることを回避するようにした。そして、ケース体２２の左側面２２Ｌから、吊り下げ紐９の上端部が係止部材１０により係止されている位置までの最短距離ｄ１を、カバー体２３の左側面２３Ｌから吊り下げ紐９が係止部材１０により係止されている位置までの最短距離ｄ２よりも長くし、ケース体２２の右側面２２Ｒから信号線６Ｌがコネクタ８を介して電子機器部２６に接続されている位置までの最短距離ｄ３を、カバー体２３の右側面２３Ｒから信号線６Ｌが挿通部材２４及び挿通阻止部材２５により係止されている位置までの最短距離ｄ４よりも短くした。
【００３１】
したがって、カバー体２３をケース体２２に取り付けようとする場合に、信号線６Ｌがケース体２２とカバー体２３との間に挟み込まれることが回避されるので、信号線６Ｌにダメージを与えることなく、作業効率の低下も防止することができる。また、カバー体２３の下面２３Ｄ右側に切欠き部２８を設け、カバー体２３を左側に寄せながらケース体２２に取り付けようとする場合、切欠き部２８が信号線６Ｌをケース体２２の中央側に誘導させるように作用するので、信号線６Ｌの挟み込みをより回避し易くして、取り付け作業を一層容易に行うことができる。
【００３２】
また、カバー体２３のカバー面２３Ｆの裏側に設けた挿通部材２４を備え、信号線６Ｌ側に挿通阻止部材２５を固定したので、カバー体２３がケース体２２より吊り下げられた場合に信号線６Ｌに張力がかかっても、挿通阻止部材２５により信号線６Ｌが係止される。この場合、信号線６Ｌは挿通部材２４に対して固定されないので、信号線６Ｌにかかるストレスをより軽減できる。
そして、挿通部材２４を、信号線６Ｌをカバー体２３の側面と平行をなす方向に挿通させるように配置したので、カバー体２３をケース体２２に取り付けるため左側に移動させる場合に、挿通部材２４と挿通阻止部材２５とが当接している部位で、信号線６Ｌが左右方向に動くための遊びが確保される。したがって、信号線６Ｌをケース体２２の中央側により誘導し易くすることができる。
【００３３】
（第２実施例）
図２は第２実施例を示すものであり、第１実施例と同一部分には同一符号を付して説明を省略し、以下異なる部分について説明する。第２実施例は、第１実施例の端末装置１より、カバー体２３側の切欠き部２８及びケース体２２側の凸面部２９を無くしたものである。斯様な構成においても、カバー体２３をケース体２２に取り付けようとする場合の信号線６Ｌの動きは、基本的に第１実施例の図１（ａ）〜（ｄ）に示す流れと同様になる。したがって、第１実施例と同様の効果が得られる。
【００３４】
本発明は上記し又は図面に記載した実施例にのみ限定されるものではなく、以下のような変形又は拡張が可能である。
吊り下げ紐９と信号線６Ｌとの配置を、左右逆にしても良い。
係止部の構造については、例えば挿通阻止部材２５を用いずに、挿通部材２４に信号線６Ｌを１回以上巻き付けることで係止させても良い。また、挿通部材２４の取り付け方向は、信号線６Ｌの挿入方向が、カバー体２３の上面２３Ｕと平行となる方向や、斜めに傾くような方向でも良い。
挿入溝２７は、必要に応じて設ければ良い。例えば挿入溝２７を設けない場合には、コネクタ８を電子機器部４に接続する位置を距離ｄ３とすれば良い。
吊り下げ紐９については、両端をそれぞれ係止部材１０，１１に結び付けても良い。
【００３５】
また、係止部材１０の形状を、係止部材１１と同様にしても良い。
係止部材１０は、電子機器部２６のカバー２６Ｃと一体に形成しても良い。また、係止部材１１もカバー体２３と一体に形成しても良い。
係止部は、挿通部材２４を用いて構成するものに限らず、例えば信号線６Ｌを１回以上巻き付けた状態を保持して係止するためのピンをカバー面２３Ｆの裏面に設けても良い。
ケース体及びカバー体の形状については必ずしも矩形の箱状である必要はなく、少なくとも左右側面及び上面，下面を有する箱状であれば良く、それらの各面が曲面であっても良い。
【符号の説明】
【００３６】
図面中、５はスピーカ、６Ｌは信号線、９は吊り下げ紐、１０及び１１は係止部材、２１は端末装置、２２はケース体、２３はカバー体、２３Ｆはカバー面、２４は挿通部材、２５は挿通阻止部材、２６は電子機器部、２８は切欠き部を示す。
【図１】
2011100391.tif 000003
【図２】
2011100391.tif 000004
【図３】
2011100391.tif 000005
【図４】
2011100391.tif 000006